(57)【要約】【課題】外観の低下を防ぐことができる使い捨て着用物品を提供する。【解決手段】使い捨て着用物品２０Ａでは、裏面シート２２が内外側シート３６，３７から形成され、裏面シート２２のうちの内外側シート３６，３７の重なり合う部分における光線透過率が２０〜５０％の範囲にある。物品２０Ａでは、脚周り用弾性部材３３を形成する第１および第２弾性部材５５，５６が内外側シート３６，３７と実質的に同一の白色または乳白色を呈し、それら弾性部材５５，５６の中央部５８，６０が吸液層２３と内側シート３６との間に位置している。物品２０Ａは、内外側シート３６，３７がそれら弾性部材５５，５６の中央部５８，６０を隠蔽し、股下域２５において弾性部材５５，５６の中央部５８，６０が目立つことはなく、物品２０Ａの外観の低下を防ぐことができる。【選択図】図１
2011224404.tif 000002
【特許請求の範囲】
【請求項１】
縦方向及び横方向を有し、肌当接側に位置する表面シートと、肌非当接側に位置する裏面シートと、前記表裏面シートの間に介在する吸液層と、前胴周り域および後胴周り域と、それら胴周り域の間に位置する股下域と、前記横方向へ延びる両端縁部および前記縦方向へ延びる両側縁部とを含み、前記股下域の両側縁部に脚周り用弾性部材が伸縮可能に取り付けられ、前記脚周り用弾性部材が、前記前胴周り域の側から前記股下域の中央に向かって凸となる第１弾性部材と、前記後胴周り域の側から前記股下域の中央に向かって凸となる第２弾性部材とから形成され、前記第１弾性部材が、前記両側縁部に位置する両側部と、前記両側部の間に位置して前記股下域を横切る中央部とを有し、前記第２弾性部材が、前記両側縁部に位置する両側部と、前記両側部の間に位置して前記股下域を横切る中央部とを有する使い捨て着用物品において、
前記第１及び第２弾性部材の中央部は、それらが互いに交差して形成された交差部分と、前記交差部分間において前記横方向へ略直状に延びる横断部分とを有し、
前記裏面シートが、前記吸液層に対向配置されて前記前後胴周り域と前記股下域との少なくとも該股下域に延びる内側シートと、前記内側シートの外側に位置して前記前後胴周り域間に延びる外側シートとから形成されており、
前記裏面シートのうちの前記内外側シートの重なり合う部分における光線透過率が、２０〜５０％の範囲にあり、
前記股下域において、前記吸液層と前記内側シートとの間には、前記第１及び第２弾性部材の前記中央部が位置しており、
前記吸液層と前記第１及び第２弾性部材の前記中央部との間には、補助シートが配置されていることを特徴とする前記着用物品。
【請求項２】
前記第１及び第２弾性部材の前記中央部の前記交差部分は前記補助シートに固着されており、前記中央部の前記横断部分は前記補助シートと前記内側シートとに固着されておらず、かつ、前記補助シートの前後端縁に沿って前記横方向へ略直状に延びている請求項１に記載の着用物品。
【請求項３】
前記補助シートは前記内側シートに固着されており、前記吸液層に固着されていない請求項１又は２記載の着用物品。
【請求項４】
前記第１及び第２弾性部材の前記中央部は、前記股下域の中央において前記前胴周り域の側に偏倚して位置している請求項１〜３のいずれかに記載の着用物品。
【請求項５】
前記第１および第２弾性部材の色が、前記内外側シートのそれと実質的に同一であり、前記内側シートと前記第１および第２弾性部材との色差が、１０〜３０の範囲にある請求項１〜４のいずれかに記載の着用物品。
【請求項６】
前記第１および第２弾性部材の中央部の伸長倍率が、１．１〜１．３倍の範囲にある請求項１〜５のいずれかに記載の着用物品。
【請求項７】
前記内外側シートが、透湿かつ不透液性プラスチックフィルムと疎水性繊維不織布とのいずれかである請求項１〜６のいずれかに記載の着用物品。
【発明の詳細な説明】
【技術分野】
【０００１】
本発明は、排泄物を吸収保持する使い捨て着用物品に関する。
【背景技術】
【０００２】
肌当接側に位置する透液性表面シートと、肌非当接側に位置する不透液性裏面シートと、表裏面シートの間に介在する吸液層とから構成され、前胴周り域および後胴周り域と、それら胴周り域の間に位置する股下域と、横方向へ延びる両端縁部および縦方向へ延びる両側縁部とを有し、複数条の胴周り用弾性部材が両端縁部に伸縮可能に取り付けられ、複数条の脚周り用弾性部材が股下域の両側縁部に伸縮可能に取り付けられた使い捨て着用物品がある（特許文献１参照）。物品では、前胴周り域の両側縁部と後胴周り域の両側縁部とが合掌状に重なり合い、それら胴周り域の両側縁部が縦方向へ間欠的に並ぶ熱融着線を介して固着されている。この物品は、胴周り開口と一対の脚周り開口とを有するパンツ型である。
【０００３】
胴周り用弾性部材は、表面シートと裏面シートとの間に位置し、所定の倍率に伸長させた状態でそれらシートに固着されている。脚周り用弾性部材は、前胴周り域の側から股下域の中央に向かって凸となる第１弾性部材と、後胴周り域の側から股下域の中央に向かって凸となる第２弾性部材とから形成されている。第１弾性部材は、両側縁部に位置する両側部と、両側部の間に位置して股下域の中央を横切る中央部とを有する。第２弾性部材は、両側縁部に位置する両側部と、両側部の間に位置して股下域の中央を横切る中央部とを有する。第１および第２弾性部材の両側部は、表面シートと裏面シートとの間に位置してそれらシートに固着されている。第１および第２弾性部材の中央部は、吸液層の側縁の外側近傍に位置して互いに交差する交差部分と、交差部分の間に延びていて吸液層を横切る横断部分とを有する。交差部分は、表面シートと裏面シートとの間に位置してそれらシートに固着されている。横断部分は、裏面シートと吸液層との間に位置してそれらに固着されている。両側部および中央部の固着時には、第１および第２弾性部材が所定の倍率に伸長された状態にある。両側部および中央部の固着後には、第１および第２弾性部材の伸長が解除される。
【先行技術文献】
【特許文献】
【０００４】
【特許文献１】特開平１０−５７４１０号公報
【発明の概要】
【発明が解決しようとする課題】
【０００５】
特許文献１に開示の着用物品では、裏面シートの光線透過率が高いと、第１および第２弾性部材の中央部の色が裏面シートを透過し、中央部が裏面シートの外側から透けて見える場合がある。また、第１および第２弾性部材の中央部の伸長倍率が高いと、中央部の収縮力によって裏面シートや吸液層が横方向へ縮み、股下域に延びる裏面シートや吸液層に不規則な多数の皺が生じる場合がある。第１および第２弾性部材の中央部が透けて見えたり、中央部の収縮力によって裏面シートに皺が生じると、股下域において弾性部材の中央部が目立つとともに、裏面シートの皺が目立ち、物品の外観が低下する。
【０００６】
本発明の目的は、股下域において第１および第２弾性部材の中央部が目立つことはなく、股下域において裏面シートに皺が生じ難く、外観の低下を防ぐことができる使い捨て着用物品を提供することにある。
【課題を解決するための手段】
【０００７】
前記課題を解決するための本発明の前提は、前記前提における本発明の特徴は、縦方向及び横方向を有し、肌当接側に位置する表面シートと、肌非当接側に位置する裏面シートと、前記表裏面シートの間に介在する吸液層と、前胴周り域および後胴周り域と、それら胴周り域の間に位置する股下域と、前記横方向へ延びる両端縁部および前記縦方向へ延びる両側縁部とを含み、前記股下域の両側縁部に脚周り用弾性部材が伸縮可能に取り付けられ、前記脚周り用弾性部材が、前記前胴周り域の側から前記股下域の中央に向かって凸となる第１弾性部材と、前記後胴周り域の側から前記股下域の中央に向かって凸となる第２弾性部材とから形成され、前記第１弾性部材が、前記両側縁部に位置する両側部と、前記両側部の間に位置して前記股下域を横切る中央部とを有し、前記第２弾性部材が、前記両側縁部に位置する両側部と、前記両側部の間に位置して前記股下域を横切る中央部とを有する使い捨て着用物品である。
【０００８】
前記前提における本発明の特徴は、前記第１及び第２弾性部材の中央部は、それらが互いに交差して形成された交差部分と、前記交差部分間において前記横方向へ略直状に延びる横断部分とを有し、前記裏面シートが、前記吸液層に対向配置されて前記前後胴周り域と前記股下域との少なくとも該股下域に延びる内側シートと、前記内側シートの外側に位置して前記前後胴周り域間に延びる外側シートとから形成されており、前記裏面シートのうちの前記内外側シートの重なり合う部分における光線透過率が、２０〜５０％の範囲にあり、前記股下域において、前記吸液層と前記内側シートとの間には、前記第１及び第２弾性部材の前記中央部が位置しており、前記吸液層と前記第１及び第２弾性部材の前記中央部との間には、補助シートが配置されていることにある。
【０００９】
本発明の実施態様の一例は、前記第１及び第２弾性部材の前記中央部の前記交差部分は前記補助シートに固着されており、前記中央部の前記横断部分は前記補助シートと前記内側シートとに固着されておらず、かつ、前記補助シートの前後端縁に沿って前記横方向へ略直状に延びている。
【００１０】
本発明の実施態様の他の一例は、前記補助シートは前記内側シートに固着されており、前記吸液層に固着されていない。
【００１１】
本発明の実施態様の他の一例は、前記第１及び第２弾性部材の前記中央部は、前記股下域の中央において前記前胴周り域の側に偏倚して位置している。
【００１２】
本発明の実施態様の他の一例は、前記第１および第２弾性部材の色が、前記内外側シートのそれと実質的に同一であり、前記内側シートと前記第１および第２弾性部材との色差が、１０〜３０の範囲にある。
【００１３】
本発明の実施態様の他の一例は、前記第１および第２弾性部材の中央部の伸長倍率が、１．１〜１．３倍の範囲にある。
【００１４】
本発明の実施態様の他の一例は、前記内外側シートが、透湿かつ不透液性プラスチックフィルムと疎水性繊維不織布とのいずれかである。
【発明の効果】
【００１５】
本発明に係る使い捨て着用物品によれば、裏面シートのうちの内外側シートの重なり合う部分における光線透過率が２０〜５０％の範囲にあり、第１および第２弾性部材の中央部が吸液層と内側シートとの間に位置しているから、第１および第２弾性部材の中央部の色が裏面シートを透過し難く、中央部が裏面シートの外側から透けて見え難い。この物品は、股下域において第１および第２弾性部材の中央部が目立つことはなく、物品の外観の低下を防ぐことができる。
【００１６】
第１および第２弾性部材の色が内外側シートのそれと実質的に同一であり、内側シートと第１および第２弾性部材との色差が１０〜３０の範囲にある着用物品は、内側シートが第１および第２弾性部材の中央部を隠蔽するから、股下域において第１および第２弾性部材の中央部が視認し難く、第１および第２弾性部材の色が内外側シートのそれと異なる場合と比較し、股下域において第１および第２弾性部材の中央部が目立つことはなく、物品の外観の低下を確実に防ぐことができる。
【００１７】
第１および第２弾性部材の中央部の伸長倍率が１．１〜１．３倍の範囲にある着用物品は、第１および第２弾性部材の収縮力が吸液層に作用したとしても、吸液層の剛性に支えられて裏面シートや吸液層が横方向へ縮むことはなく、股下域に延びる裏面シートに皺が生じ難いから、股下域において裏面シートに不規則な多数の皺が生じる場合と比較し、物品の外観の低下を防ぐことができる。
【００１８】
第１および第２弾性部材の中央部が吸液層に非固着であって該吸液層に対して自由である着用物品は、第１および第２弾性部材の中央部と吸液層とが固着されている場合と比較し、第１および第２弾性部材の中央部の収縮力が吸液層に直接作用することはなく、股下域に延びる吸液層に皺が生じ難い。この物品は、股下域において、吸液層に不規則な多数の皺が生じる場合と比較し、吸液層における吸液機能の低下を防ぐことができる。
【図面の簡単な説明】
【００１９】
【図１】一例として示す使い捨て着用物品の部分破断斜視図。
【図２】図１の物品の部分破断展開平面図。
【図３】図２の３−３線矢視断面図。
【図４】図２の４−４線矢視断面図。
【発明を実施するための形態】
【００２０】
添付の図面を参照し、本発明に係る使い捨て着用物品の詳細を説明すると、以下のとおりである。
【００２１】
図１，２は、一例として示す使い捨て着用物品２０Ａの部分破断斜視図と、前後胴周り域２４，２６の連結を解除した状態で示す図１の物品２０Ａの部分破断展開平面図とである。図３，４は、図２の３−３線矢視断面図と、図２の４−４線端面図とである。図１，２では、縦方向を矢印Ｌで示し、横方向を矢印Ｍで示す。なお、表面シート２１や裏面シート２２、防漏シート３４の内面とは、吸液層２３に対向する面をいい、それらシート２１，２２，３４の外面とは、吸液層２３に非対向の面をいう。
【００２２】
物品２０Ａは、肌当接側に位置する透液性表面シート２１と、肌非当接側に位置する不透液性裏面シート２２と、それらシート２１，２２の間に介在する吸液層２３とから構成されている。物品２０Ａは、互いに対向する前胴周り域２４および後胴周り域２６と、それら胴周り域２４，２６の間に位置する股下域２５とを有し、前後胴周り域２４，２６に横方向へ延びる両端縁部２７と、前後胴周り域２４，２６間に縦方向へ延びる両側縁部２８とを有する。吸液層２３は、両端縁部２７と両側縁部２８とを除く前後胴周り域２４，２６間に延びている。
【００２３】
物品２０Ａの平面形状は、図２に示すように、股下域２５の両側縁部２８が横方向内方へ向かって弧を画く砂時計型である。物品２０Ａでは、前胴周り域２４の両側縁部２８と後胴周り域２６の両側縁部２８とが合掌状に重なり合い、それら胴周り域２４，２６の両側縁部２８が縦方向へ間欠的に並ぶ多数の熱融着線２９を介して固着されている。物品２０Ａは、図１に示すように、胴周り開口３０と一対の脚周り開口３１とを有するパンツ型である。両端縁部２７には、横方向へ延びる複数条の胴周り用弾性部材３２が伸縮可能に取り付けられている。股下域２５の両側縁部２８には、縦方向へ延びる複数条の脚周り用弾性部材３３が伸縮可能に取り付けられている。両側縁部２８には、前後胴周り域２４，２６間に配置されて縦方向へ延びる一対の液抵抗性防漏シート３４が取り付けられている。
【００２４】
表面シート２１には、親水性繊維不織布３５が使用されている。表面シート２１の色は、白色または乳白色である。裏面シート２２は、吸液層２３に対向配置された内側シート３６と、内側シート３６の外側に配置されて前後胴周り域２４．２６間に延びる外側シート３７とから形成されている。内側シート３６と外側シート３７とは、互いに重なり合った状態でそれらの対向面が接着剤（図示せず）を介して接合されている。内側シート３６と外側シート３７との色は、白色または乳白色であり、それらシート３６，３７から形成された裏面シート２２の色も白色または乳白色である。内側シート３６は、両端縁部２７と両側縁部２６とを除く前後胴周り域２４，２６間に延びており、吸液層２３の下面全域を覆っている。内側シート３６には、炭酸カルシウムや硫酸バリウム等の無機物微細粒子を含有する合成樹脂を一軸または二軸延伸した透湿かつ不透液性の非伸縮性プラスチックフィルム３８が使用されている。外側シート３７には、疎水性繊維不織布３９が使用されている。
【００２５】
吸液層２３は、吸液性心材４０と、心材４０全体を包被するティッシュペーパー４１とから形成されている。心材４０は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。ゆえに、吸液層２３は、その剛性が表裏面シート２１，２２のそれよりも高い。吸液層２３は、ティッシュペーパー４１を介して表裏面シート２１，２２の内面に接合されている。ポリマーには、デンプン系、セルロース系、合成ポリマー系のそれが使用されている。
【００２６】
防漏シート３４には、疎水性繊維不織布４２が使用されている。防漏シート３４は、両側縁部２８に位置して縦方向へ延びる固定側部４３と、固定側部３４に並行して縦方向へ延びていて表面シート２１の外面から上方へ起立性向を有する可動部４４と、両端縁部２７に位置して物品２０Ａの横方向内方へ倒伏した固定両端部４５とから形成されている。可動部４４の頂点近傍には、縦方向へ延びる伸縮性弾性部材４６が伸縮可能に取り付けられている。弾性部材４６は、所定の倍率に伸長された状態で可動部４４に固着されている。防漏シート３４では、弾性部材４６の収縮力によって可動部４４が収縮し、可動部４４が表面シート２１の外面から上方へ起立する。可動部４４は、排泄物の横方向への流動を阻止する障壁を形成する。
【００２７】
両端縁部２７は、吸液層２３の端縁４７から縦方向外方へ延びる表裏面シート２１，２２の端部４８，４９と防漏シート３４の固定端部４５とから形成されている。両端縁部２７では、内側シート３６が吸液層２３の端縁４７から縦方向外方へわずかに延び、内側シート３６からさらに縦方向外方へ表面シート２１と外側シート３７とが延びている。両端縁部２７では、表裏面シート２１，２２の端部４８，４９と防漏シート３４の端部４５とが重なり合った状態で接合されている。胴周り用弾性部材３２は、横方向中央部５０が表面シート２１の端部４８と裏面シート２２（外側シート３７）の端部４９との間に位置してそれらシート２１，２２の内面に固着され、横方向両端部５１が裏面シート２２（外側シート３７）の端部４９と防漏シート３４の側部４３との間に位置してそれらシート２２，３４の内面に固着されている。弾性部材３２は、所定の倍率に伸長された状態でそれらシート２１，２２，３４に固着されている。
【００２８】
両側縁部２８は、吸液層２３の側縁５２から横方向外方へ延びる表裏面シート２１，２２の側部５３，５４と防漏シート３４の固定側部４３とから形成されている。両側縁部２８では、表面シート２１と内側シート３６とが吸液層２３の側縁５２から横方向外方へわずかに延び、それらシート２１，３６からさらに横方向外方へ防漏シート３４と外側シート３７とが延びている。両側縁部２８では、表裏面シート２１，２２の側部５３，５４と防漏シート３４の側部４３とが重なり合った状態で接合されている。
【００２９】
脚周り用弾性部材３３は、前胴周り域２４の側から股下域２５の中央に向かって凸となる第１弾性部材５５と、後胴周り域２６の側から股下域２５の中央に向かって凸となる第２弾性部材５６とから形成されている。第１弾性部材５５は、股下域２５の中央に向かって縦方向へ実質的に弧を画いている。第１弾性部材５５は、両側縁部２８に位置して縦方向へ延びる両側部５７と、両側部５７の間に位置して股下域２５の中央を横切る中央部５８とを有する。第２弾性部材５６は、股下域２５の中央に向かって縦方向へ実質的に弧を画いている。第２弾性部材５６は、両側縁部２８に位置して縦方向へ延びる両側部５９と、両側部５９の間に位置して股下域２５の中央を横切る中央部６０とを有する。それら弾性部材５５，５６の両側部５７，５９は、裏面シート２２（内側シート３６または外側シート３７）の側部５４と防漏シート３４の固定側部４３との間に位置し、所定の倍率に伸長された状態でそれらシート２２，３４の内面に固着されている。
【００３０】
それら弾性部材５５，５６の中央部５８，６０は、股下域２５の中央のうちの前胴周り域２４の側に偏倚した箇所に位置している。中央部５８，６０が位置する箇所には、中央部５８，６０のうちの後記する交差部分６３を内側シート３６に押し当てる横方向へ長い矩形の補助シート６１が配置されている。補助シート６１には、半透明の非伸縮性プラスチックフィルム６２が使用されている。中央部５８，６０は、補助シート６１を挟んで内側シート３６（フィルム３８）と吸液層２３との間に位置している。中央部５８は、交差部分６３と、交差部分６３の間に位置して横方向へ略直状に延びる横断部分６４とを有する。中央部６０は、交差部分６５と、交差部分６５の間に位置して横方向へ略直状に延びる横断部分６６とを有する。それら交差部分６３，６５は、吸液層２３の側縁５２の外側近傍において互いに交差している。具体的には、図２に示すとおり、交差部分６３とは、第１及び第２弾性部材５５，５６が互いに交差する交差点Ｐから内方へ僅かに湾曲して延びて略直状に変わる端点Ｑまでの部分を意味し、横断部分６４とは交差部分６３の端点Ｑ間において横方向Ｍへ略直線状に延びる部分を意味する。交差部分６３，６５は、内側シート３６と補助シート６１との間に位置し、接着剤（図示せず）を介してそれらシート３６，６１に固着されている。横断部分６４，６６は、内側シート３６と補助シート６１との間に位置して吸液層２３を横切っている。横断部分６４，６６は、内側シート３６と補助シート６１とに固着されておらず、それらシート３６，６１に対して自由である。このように、横断部分６４がこれらシート３６，６１に固着されておらず自由であるので、端点Ｑ間において横断部分６４は伸長された状態にあり、補助シートの前後端縁６１ａ，６１ｂに沿って横方向Ｍに略直線状延びている。補助シート６１は、内側シート３６と吸液層２３（ティッシュペーパー４１）との間に位置して股下域２５を横切っている。補助シート６１は、接着剤（図示せず）を介して内側シート３６に固着され、吸液層２３に固着されていない。ゆえに、それら弾性部材５５，５６の中央部５８，６０は、吸液層２３に対して自由である。交差部分６３，６５の固着時では、中央部５８，６０が横方向へ伸長状態にあるか、または、中央部５８，６０が横方向へ実質的に非伸長状態にある。
【００３１】
第１弾性部材５５と第２弾性部材５６とは、それらの色が白色または乳白色であり、色が内側シート３６（フィルム３８）や外側シート３７（不織布３９）の色と実質的に同一である。ゆえに、内外側シート３６，３７から形成された裏面シート２２がそれら弾性部材５５，５６の中央部５８，６０を隠蔽する。
【００３２】
内外側シート３６，３７や第１および第２弾性部材５５，５６は、それらの色が白色または乳白色であるが、わずかに赤色や緑色、青色、黄色を帯びる場合がある。ここで、第１および第２弾性部材５５，５６は、その明るさをＬ１，明るさの標準をＬ０、弾性部材５５，５６が赤色および緑色を帯びた程度をＡ１，赤色および緑色を帯びた程度の標準をＡ０、弾性部材５５，５６が青色および黄色を帯びた程度をＢ１，青色および黄色を帯びた程度の標準をＢ０としたとき、以下の式で求められる数値Ｅ１が７０〜９０の範囲にある。Ｅ１は、標準白色板に対する弾性部材５５，５６の色差を表す。なお、Ｌ０の値は、９７．５、Ａ０の値は、−０．３５であり、Ｂ０の値は、０．２５である。
【数１】
2011224404.tif 000003
【００３３】
内側シート３６は、その明るさをＬ２，明るさの標準をＬ０、シート３６が赤色および緑色を帯びた程度をＡ２，赤色および緑色を帯びた程度の標準をＡ０、シート３６が青色および黄色を帯びた程度をＢ２，青色および黄色を帯びた程度の標準をＢ０としたとき、以下の式で求められる数値Ｅ２が８５〜１１５の範囲にある。Ｅ２は、標準白色板に対するシート３６の色差を表す。
【数２】
2011224404.tif 000004
【００３４】
外側シート３７は、その明るさをＬ３，明るさの標準をＬ０、シート３７が赤色および緑色を帯びた程度をＡ３，赤色および緑色を帯びた程度の標準をＡ０、シート３７が青色および黄色を帯びた程度をＢ３，青色および黄色を帯びた程度の標準をＢ０としたとき、以下の式で求められる数値Ｅ３が８５〜１１５の範囲にある。Ｅ３は、標準白色板に対するシート３７の色差を表す。
【数３】
2011224404.tif 000005
【００３５】
物品２０Ａでは、内側シート３６の前記数値Ｅ２が弾性部材５５，５６の前記数値Ｅ１よりも高く、以下の式４で求められる内側シート３６と第１および第２弾性部材５５，５６との色差ΔＥ１が１０〜３０の範囲にある。内側シート３６と弾性部材５５，５６との色差ΔＥ１が１０未満の場合は、弾性部材５５，５６に対する内側シート３６の隠蔽効果が小さく、弾性部材５５，５６の中央部５８，６０の色が裏面シート２２を透過し、中央部５８，６０が裏面シート２２の外側から透けて見える場合があり、股下域２５において弾性部材５５，５６の中央部５８，６０が目立ち、物品２０Ａの外観が低下する。
【数４】
2011224404.tif 000006
【００３６】
なお、物品２０Ａでは、外側シート３７の前記数値Ｅ３が弾性部材５５，５６の前記数値Ｅ１よりも高く、以下の式５で求められる内側シート３６と第１および第２弾性部材５５，５６との色差ΔＥ２が１０〜３０の範囲にあることが好ましい。また、内側シート３６の前記数値Ｅ２が外側シート３７の数値Ｅ３よりも高いことが好ましい。
【数５】
2011224404.tif 000007
【００３７】
シート３６，３７や弾性部材５５，５６の明るさＬ１〜Ｌ３、シート３６，３７や弾性部材５５，５６が赤色および緑色を帯びた程度Ａ１〜Ａ３、シート３６，３７や弾性部材５５，５６が青色および黄色を帯びた程度Ｂ１〜Ｂ３は、測色色差計 ＺＥ２０００（日本電色工業（株）製）を用いて測定した。測定条件は、準拠規格：ＪＩＳ Ｚ ８７２２、測定方法：反射モード、測定面積：３０ｍｍφである。
【００３８】
物品２０Ａでは、裏面シート２２のうちの内側シート３６（フィルム３８）と外側シート３７（不織布３９）との重なり合う部分における光線透過率が２０〜５０％の範囲にある。内外側シート３６，３７の重なり合う部分における光線透過率が５０％を超過すると、弾性部材５５，５６の中央部５８，６０の色が裏面シート２２を容易に透過し、中央部５８，６０が裏面シート２２の外側から透けて見え易く、股下域２５において弾性部材５５，５６の中央部５８，６０が目立ち、物品２０Ａの外観が低下する。なお、内外側シート３６，３７の重なり合う部分における光線透過率は、以下の方法で測定した。
【００３９】
物品２０Ａから裏面シート２２のうちの内外側シート３６，３７の重なり合う部分を切り取って光線透過率測定用サンプルを作成し、サンプルの光線透過率を測定した。光線透過率の測定には、濁度計 ＮＤＨ３００Ａ（日本電色工業（株）製）を用いて測定した。測定条件は、準拠規格：ＪＩＳ Ｋ ７１０５、測定方法：積分球式光電光度法、測定面積：透過１２ｍｍφである。
【００４０】
物品２０Ａでは、弾性部材５５，５６の中央部５８，６０の伸長倍率が１．１〜１．３倍の範囲にあり、中央部５８，６０の伸長応力が両側部５７，５９のそれよりも小さい。中央部５８，６０の伸長倍率が１．３倍を超過すると、第１および第２弾性部材５５，５６の中央部分５８，６０の収縮力が裏面シート２２や吸液層２３を横方向へ縮ませるので、股下域２５に延びる裏面シート２２や吸液層２３に不規則な多数の皺が生じる。中央部５８，６０の収縮力によって裏面シート２２に皺が生じると、股下域２５において裏面シート２２の皺が目立ち、物品２０Ａの外観が低下する。なお、中央部５８，６０の伸長倍率は、以下の方法で測定した。
（１）物品２０Ａから股下域２５の中央（シート２１，２２，６１、弾性部材５５，５６の中央部５８，６０を含む）を切り取り、５つの伸長倍率測定用サンプルを作成した。サンプルにおいて中央部５８，６０の交差部分６３，６５に印を付けた。中央部５８，６０に延びる弾性部材５５，５６の軌跡に沿って、中央部５８，６０の間の弾性部材５５，５６の巻き尺で該弾性部材の長さを測定し、測定したそれら長さの平均値Ｚ１を算出した。
（２）次に、トルエンを用いて接着剤を溶解させてシート２１，２２，６１と弾性部材５５，５６とを分離し、巻き尺で弾性部材５５，５６単体における中央部５８，６０の間の長さを測定し、測定したそれら長さの平均値Ｚ２を算出した。伸長倍率はＺ１÷Ｚ２で算出し、算出したサンプルの伸長倍率をこの物品２０Ａの中央部５８，６０における伸長倍率とした。
【００４１】
物品２０Ａでは、吸液層２３の剛軟度が０．０８〜０．１５Ｎ・ｃｍの範囲にある。吸液層２３の剛軟度が０．０８Ｎ・ｃｍ未満では、中央部５８，６０の収縮力によって吸液層２３が横方向へ縮み、裏面シート２２や吸液層２３に不規則な多数の皺が生じ、股下域２５において裏面シート２２の皺が目立って物品２０Ａの外観が低下するとともに、吸液層２３の吸液機能が低下する。吸液層２３の剛軟度が０．１５Ｎ・ｃｍを超過すると、吸液層２３の柔軟性が低下し、吸液層２３が着用者の肌に不快な刺激を与える場合があり、物品２０Ａの着用感が悪化する。なお、吸液層２３の剛軟度は、テーバー法（ＪＩＳ Ｐ ８１２５）に準拠して測定した。剛軟度の測定方法は、以下のとおりである。
（１）吸液層を所定の寸法に裁断し、縦寸法７０ｍｍ×横寸法３８．１ｍｍの剛軟度測定用サンプルを作成した。剛軟度の測定には、厚さ測定器（PEACOCK  DIAL  THICKNESS  GAUGE  No.C11352  径５０ｍｍ・荷重３ｇ／ｃｍ２）と（株）安田精機製作所製のテーバースティフネステスター（テーバー試験機）とを使用した。
（２）次に、剛軟度の測定の手順を説明する。（ａ）厚さ測定器を介してサンプルの厚さ寸法Ｗを測定する。（ｂ）サンプルをテーバー試験機のサンプル曲げ機構のローラ間に入れ、サンプル掴みとサンプルとが同一直線状かつ中心刻線が荷重目盛りの０となるようにサンプルを取り付ける（サンプル掴みの間隔はサンプルの厚さと合わせる）。（ｃ）ローラとサンプルとの左右隙間の合計をＷ×０．８０（ｍｍ）に調節し、ローラからサンプルまでの距離を０．５ｍｍ程度にする。（ｄ）サンプル曲げ機構を時計回り方向へ回転させ、曲げ機構の１５度を示す刻線と荷重振り子の指針とが一致した点で曲げ機構の回転を停止し、このときの振り子の指針が指示する荷重目盛りの数値Ｘを読み取る。（ｅ）直ちにサンプル曲げ機構を反時計回り方向へ回転させ、曲げ機構の１５度を示す刻線と荷重振り子の指針とが一致した点で曲げ機構の回転を停止し、このときの振り子の指針が指示する荷重目盛りの数値Ｙを読み取る。なお、荷重目盛りが最大目盛りの１５〜８５％の範囲に入るように補助おもりを選択し、選択した補助おもりをサンプルに取り付ける。
（３）時計回り方向と反時計回り方向とにおいて読み取った荷重目盛りの数値Ｘ，Ｙを使用し、以下の式によってサンプルの剛軟度を求める。剛軟度（Ｎ・ｃｍ）＝｛（Ｘ＋Ｙ）／２｝×｛（補助おもり数値）／１０００×９．８０７｝、算出したサンプルの剛軟度をこの物品２０Ａにおける吸液層２３の剛軟度とした。
【００４２】
物品２０Ａは、裏面シート２２のうちの内外側シート３６，３７の重なり合う部分における光線透過率が２０〜５０％の範囲にあり、第１および第２弾性部材５５，５６の中央部５８，６０が吸液層２３と内側シート３６との間に位置しているから、それら弾性部材５５，５６の中央部５８，６０の色が裏面シート２２を透過し難く、中央部５８，６０が裏面シート２２の外側から透けて見え難い。物品２０Ａは、第１および第２弾性部材５５，５６の色が内外側シート３６，３７のそれと実質的に同一であるから、内外側シート３６，３７から形成された裏面シート２２がそれら弾性部材５５，５６の中央部５８，６０を隠蔽し、第１および第２弾性部材５５，５６の色が内外側シート３６，３７のそれと異なる場合と比較し、それら弾性部材５５，５６の中央部５８，６０が裏面シート２２の外側から視認し難い。また、物品２０Ａは、内側シート３６の数値Ｅ２が弾性部材５５，５６の数値Ｅ１よりも高く、内側シート３６と弾性部材５５，５６との色差ΔＥ１が１０〜３０の範囲にあるから、弾性部材５５，５６に対する内側シート３６の隠蔽効果が大きく、色差ΔＥが１０未満の場合に比較し、それら弾性部材５５，５６の中央部５８，６０が裏面シート２２の外側から視認し難い。さらに、物品２０Ａは、第１および第２弾性部材５５，５６の中央部５８，６０の伸長倍率が１．１〜１．３倍の範囲にあるから、中央部５８，６０の収縮力が吸液層２３に作用したとしても、吸液層２３の剛性に支えられて裏面シート２２や吸液層２３が横方向へ縮むことはなく、股下域２５に延びる裏面シート２５に皺が生じ難い。この物品２０Ａは、股下域２５において第１および第２弾性部材５５，５６の中央部５８，６０が目立つことはなく、股下域２５に延びる裏面シート２２に皺が生じ難いので、股下域２５において弾性部材５５，５６の中央部５８，６０が目立つ場合や裏面シート２２に不規則な多数の皺が生じる場合と比較し、物品２０Ａの見た目がよく、物品２０Ａの外観の低下を確実に防ぐことができる。
【００４３】
物品２０Ａは、第１および第２弾性部材５５，５６の中央部５８，６０が吸液層２３に非固着であって該吸液層２３に対して自由であるから、弾性部材５５，５６の中央部５８，６０の収縮力が吸液層２３に直接作用することはなく、中央部５８，６０が収縮したとしても、股下域２５に延びる吸液層２３に皺が生じ難い。この物品２０Ａは、股下域２５において吸液層２３に不規則な多数の皺が生じる場合と比較し、吸液層２３における吸液機能の低下を防ぐことができる。なお、物品２０Ａの着用中に排泄された排泄物は、表面シート２１を透過して吸液層２３に吸収保持される。
【符号の説明】
【００４４】
２０Ａ        使い捨て着用物品
２０Ｂ        使い捨て着用物品
２１          透液性表面シート
２２          不透液性裏面シート
２３          吸液層
２４          前胴周り域
２５          股下域
２６          後胴周り域
２７          両端縁部
２８          両側縁部
３３          脚周り用弾性部材
３６          内側シート
３７          外側シート
３８          透湿かつ不透液性プラスチックフィルム
３９          疎水性繊維不織布
５５          第１弾性部材
５６          第２弾性部材
５７          両側部
５８          中央部
５９          両側部
６０          中央部
６１          補助シート
６１ａ，６１ｂ    補助シートの前後端縁
６３          交差部分
６４          横断部分
６５          交差部分
６６          横断部分
６７          透湿かつ不透液性プラスチックフィルム
ΔＥ１        色差
【図１】
2011224404.tif 000008
【図２】
2011224404.tif 000009
【図３】
2011224404.tif 000010
【図４】
2011224404.tif 000011